(57)【要約】【課題】  従来のＣＤ及びＤＶＤ付きの紙芝居は、再生装置を必要とし、ＣＤ及びＤＶＤ制作にも費用が、かかった。効果音等を流す時には、紙芝居画と音とのタイミングが合わせにくかった。又、紙芝居は複数枚で構成されているので、販売時に、ページの順番が入れ替わったり、損傷の恐れがあった。【解決手段】  外国語、紙芝居脚本、効果音などを収録、公開し、サーバーのアドレスから、読み取り可能な情報コードを作成する。紙芝居に、情報コードを表示することにより、携帯電話やスマートフォン等の携帯端末を使用して、静止画像、動画、音声等を再生できる。紙芝居の支援情報を再生時に、再生と保留のタイミングが計りやすいように、携帯端末画面にカウントダウン等の情報を表示する。又、紙芝居内容の一部や宣伝広告を、情報コード化し、包装された紙芝居に、情報コードを表示し、携帯電話やスマートフォン等で再生する事により、包装を破くことなく、中身のイメージを確認できる。【選択図】図２
2015181888.tif 000002
【特許請求の範囲】
【請求項１】
紙芝居を演ずる為の、支援情報をサーバーから取得して、携帯端末により再生して演ずる紙芝居であって、前記支援情報を蓄積した、前記サーバーにアクセスするためアドレスを指定する情報コードを具備した紙芝居。
【請求項２】
前記紙芝居の全ページのいずれか１ページの裏面に前記紙芝居の全ページに関連する前記支援情報にアクセスするための前記コード情報を具備した請求項１に記載の紙芝居。
【請求項３】
前記紙芝居の全ページのそれぞれのページの裏面に前記紙芝居のそれぞれのページに関連する前記支援情報にアクセスするための前記情報コードを具備した請求項１に記載の紙芝居。
【請求項４】
前記紙芝居のあるページに関連する前記支援情報を表示する前記携帯端末のある画面と、次ページに関連する前記支援情報を表示する次の画面との間に、前記次のページをめくるタイミングを調整するためのカウントダウンを表示する画面を挿入する請求項２または請求項３に記載の紙芝居。
【請求項５】
前記紙芝居は、包装紙に包装されており前記包装紙に前記情報コードを具備した請求項1に記載の紙芝居。
【発明の詳細な説明】
【技術分野】
【０００１】
本発明は、読み取り可能な情報コード付き紙芝居に関する。
【背景技術】
【０００２】
従来は、ＣＤやＤＶＤ付きの紙芝居は、紙芝居に関する情報を再生する為の、再生装置を必要とした。
【０００３】
従来は、ＣＤやＤＶＤ付きの紙芝居は、再生装置で再生、保留をする時に、ボタン等を押したりして操作した。
【０００４】
従来の紙芝居は、販売時に購買者が直接触れると、順番が入れ替わったり、損傷する欠点があった。
【発明の概要】
【発明が解決しようとする課題】
【０００５】
従来のＣＤやＤＶＤ付き紙芝居は、再生装置を必要とし、ＣＤやＤＶＤ制作に費用がかかった。又、再生、保留の操作やタイミングが難しかった。又、紙芝居の販売時に、紙芝居の順番の入れ替わりや、損傷の恐れがあった。本発明は、以上のような欠点をなくすために、なされたものである。
【課題を解決するための手段】
【０００６】
本発明の紙芝居は、紙芝居を演ずる為の、支援情報をサーバーから取得して、携帯端末により再生して演ずる紙芝居であって、前記支援情報を蓄積した、前記サーバーにアクセスするためアドレスを指定する情報コードを具備したことを特徴とする。
【０００７】
また本発明の紙芝居は、紙芝居の全ページのいずれか１ページの裏面に紙芝居の全ページに関連する支援情報にアクセスするためのコード情報を具備してもよい。  
【０００８】
また本発明の紙芝居は、紙芝居の全ページのそれぞれのページの裏面に紙芝居のそれぞれのページに関連する支援情報にアクセスするための情報コードを具備してもよい。
【０００９】
また本発明の紙芝居は、紙芝居のあるページに関連する支援情報を表示する携帯端末のある画面と、次ページに関連する支援情報を表示する次の画面との間に、次のページをめくるタイミングを調整するためのカウントダウンを表示する画面を挿入してもよい。
【００１０】
また本発明の紙芝居は、紙芝居は、包装紙に包装されており包装紙に前記情報コードを具備してもよい。
【発明の効果】
【００１１】
本発明は、携帯電話やスマートフォン等の携帯端末を使用して、静止画像、動画、音声を再生できる。紙芝居を演じる時に、読み取り可能な情報コードで、静止画像、動画、音声で再生し  演じる事で、より実践的な、語学の学習効果があがる。企業の接客マニュアル、語学研修等でより実践的な、復習が出来て学習効果があがる。観光地の案内を、他言語で効果的に行なう練習を、紙芝居を人前で演じる事により学習効果があがる。就職活動などに必要なプレゼンテーション力、コミュニケーション力を養える。従来の紙芝居には無い、効果音を再生して、魅力的な紙芝居を演じられる。
【００１２】
紙芝居は、複数枚で構成されているので、カウントダウン等のメッセージを、読み取り可能な情報コード化して、ページとページの間に挿入する事により、次ページの紙芝居内容が再生されるタイミングが計れる。演じるスピードや流れに応じて、携帯端末の画面で確認し、カウントダウン等のメッセージ表示中に、再生や保留の操作を行える。
【００１３】
販売時に、紙芝居に触れずに、包装紙に表示された読み取り可能な情報コードを利用して、紙芝居の内容の一部や、宣伝広告を携帯電話やスマートフォンを使用して、再生出来る。
【図面の簡単な説明】
【００１４】
【図１】実施例１の紙芝居を作成する行程を示す図
【図２】実施例１の紙芝居に、情報コードを付けた状態を示す図
【図３】携帯電話やスマートフォン等の携帯端末の画面の例を示す図
【図４】実施例２の紙芝居に、情報コードを、各ページ裏面（文字側）に表示した例を示す図
【図５】実施例３の紙芝居に、情報コードを、包装紙の上に表示した例を示す図
【発明を実施するための形態】
【００１５】
以下、本発明の実施の形態を図に基づいて説明する。
【実施例１】
【００１６】
図１に示すように、紙芝居に関連した静止画像、動画、音声等の紙芝居を演じる際の支援情報を、収録して（S１）、ウェブサイトのサーバーにアップロードし（S２）、サーバーのアドレスを示すそのＵＲＬ（Uniform Resource Locator）を、読み取り可能なＱＲコード（登録商標）等の情報コード化する（S３）。作成した読み取り可能な情報コードを、紙芝居に印刷、又は、貼る（S４）。紙芝居の利用者は、携帯電話やスマートフォン等の、携帯端末を使用して再生する（S５）。
図２に示すように、紙芝居１の全ページの内容（支援情報）を、読み取り可能な情報コード２にして、紙芝居１の１枚に印刷、又は貼付ける。紙芝居利用者は、携帯端末で、紙芝居に関する支援情報を読み取り、例えば、効果音を再生して、より魅力的な紙芝居を演じたり、語学の学習において、発音を効果的に学べる等、絵本等には無いプレゼンテーション力やコミュニケーション力を養える。
紙芝居は、複数枚で構成されているので、紙芝居に関連する情報を収録時に、紙芝居脚本又は絵と、次ページの紙芝居脚本又は絵の間に、数字等のカウントダウン静止画を挿入する。紙芝居利用者は、図３に示すように、携帯端末の画面３ａ〜３ｅにカウントダウン静止画３ｂ〜３ｄが表示中に、携帯端末の画面に触れるだけで、再生の保留や、再生を行い、紙芝居利用者の演じる速度に合わせて、再生と保留のタイミングを合わせる。
【実施例２】
【００１７】
紙芝居１の全ページの情報コードを読み取るには、時間を要するので、図４に示すように、紙芝居の各ページ１ａ〜１ｃの内容を、読み取り可能な情報コード２ａ〜２ｃにして、印刷又は貼付する。紙芝居利用者は、携帯端末で紙芝居１の各ページ１ａ〜１ｃの内容に関する、支援情報を選択して読み取り、紙芝居の単ページの支援情報を再生する。
【実施例３】
【００１８】
紙芝居の損傷やページの入れ替わりを防ぐ為、図５に示すように、包装紙３で紙芝居１を包装して、紙芝居１の内容の一部や、宣伝広告を読み取り可能な情報コード４にして、印刷又は貼付する。紙芝居購買者は、包装紙３を破る事なく、紙芝居１の中身の１部や、宣伝広告を携帯端末を使って再生する。
【産業上の利用可能性】
【００１９】
読み取り可能な情報コード付き紙芝居を利用して、語学学習や、効果音の挿入、紙芝居販売時の効果
等を期待できる。よって、本発明は、紙芝居を製造する産業や紙芝居を演じる産業で利用される。
【符号の説明】
【００２０】
１          紙芝居
１ａ〜１c   紙芝居の各ページ  
２          情報コード
２ａ〜２d   情報コード
３          包装紙
３ａ〜３e   携帯端末の画面
４          情報コード
【図１】
2015181888.tif 000003
【図２】
2015181888.tif 000004
【図３】
2015181888.tif 000005
【図４】
2015181888.tif 000006
【図５】
2015181888.tif 000007